(57)【要約】【課題】杖本体の材料選択の幅を狭めることなく、滑り止め部材を突出及び格納する。【解決手段】歩行用杖１０は、上端が把持可能に構成された杖本体１１と、杖本体１１の下端部分に設けられた滑り止め部材２１とを備える。滑り止め部材２１は杖本体１１の下端に設けられたキャップ部材１７の下端縁に位置する突出位置とキャップ部材の側面に位置する格納位置の間を回転可能に設けられる。杖本体１１の下端がキャップ部材１７により被覆され、キャップ部材１７にバンド部材１８が巻回され、バンド部材１８に滑り止め部材２１が枢支される。滑り止め部材２１は、突出位置で、中間がキャップ部材１７の先端縁に対向し一端及び他端がキャップ部材１７を両側から挟むように折り曲げられて一端がバンド部材１８に枢支された帯板基台２２と、帯板基台２２に取付けられた歯先部材２３とを備える。【選択図】  図１
0003126872.tif 000002
【実用新案登録請求の範囲】
【請求項１】
上端が把持可能に構成された杖本体(11)と、前記杖本体(11)の下端部分に設けられた滑り止め部材(21)とを備えた歩行用杖において、
前記滑り止め部材(21)は、前記杖本体(11)の下端に設けられたキャップ部材(17)の下端縁に位置する突出位置と、前記キャップ部材(17)の側面に位置する格納位置の間を回転可能に設けられた
ことを特徴とする歩行用杖。
【請求項２】
杖本体(11)の下端がキャップ部材(17)により被覆され、キャップ部材(17)にバンド部材(18)が巻回され、前記バンド部材(18)に滑り止め部材(21)が枢支された請求項１記載の歩行用杖。
【請求項３】
滑り止め部材(21)は、突出位置で、中間がキャップ部材(17)の先端縁に対向し一端及び他端が前記キャップ部材(17)を両側から挟むように折り曲げられて一端がバンド部材(18)に枢支された帯板基台(22)と、前記帯板基台(22)に取付けられた歯先部材(23)とを備える請求項２記載の歩行用杖。
【請求項４】
バンド部材(18)の帯板基台(22)の他端に対向する部分に第１突起(18a)が前記帯板基台(22)の他端に向かって突出して形成され、前記帯板基台(22)の他端に前記第１突起(18a)が進入可能な係止孔(22a)が形成され、前記第１突起(18a)を前記係止孔(22a)に進入させることにより前記滑り止め部材(21)を突出位置に維持させるよう構成された請求項３記載の歩行用杖。
【請求項５】
キャップ部材(17)に巻回されたバンド部材(18)の両端に枢支ピン(19)が架設され、前記枢支ピン(19)を介して帯板基台(22)の一端が枢支され、前記枢支ピン(19)近傍の前記バンド部材の両側に第２突起(18b)が前記帯板基台(22)側に突出してそれぞれ形成され、前記バンド部材(18)の両側にそれぞれ形成された第２突起(18b)は滑り止め部材(21)が格納位置の前記帯板基台(22)に接触して前記滑り止め部材(21)を前記格納位置に維持させるように構成された請求項３又は４記載の歩行用杖。
【請求項６】
歯先部材(23)は、鋼板をコ字状に折り曲げて、帯板基台(22)に固定された固定部(23a)と、前記固定部(23a)の両側から立ち上げられてそれぞれの先端に複数の山形の歯(23c)が連なる歯先が形成された一対の鋸歯用板材(23b,23b)を備えた請求項３ないし５いずれか１項に記載の歩行用杖。
【請求項７】
滑り止め部材(21)が格納状態で一対の鋸歯用板材(23b,23b)を収容可能な凹部(17e)がキャップ部材(17)に形成された請求項６記載の歩行用杖。
【請求項８】
鋸歯用板材(23b,23b)の歯先は、中央の山形の歯(23c)が最も突出するように複数の山形の歯(23c)が円弧(R)を描くように連なって形成された請求項６又は７記載の歩行用杖。
【考案の詳細な説明】
【技術分野】
【０００１】
本考案は、寒冷地において老人や身障者等が歩行の助けに携えるに便利な歩行用杖に関するものである。
【背景技術】
【０００２】
従来、歩行の助けに携える歩行用杖にあっては、把持部材が上端に取付けられた棒状の杖本体を備え、その杖本体の下端に滑り止め用のゴムチップを嵌合装着したものが知られている。この杖本体の下端に付設されるゴムチップは、例えば病院や屋内で使用する場合には滑り止めとして有効に機能するものである。一方、このゴムキャップは、特に雪道や凍結した道路等ではほとんど役立たない。このため、寒冷地向けの歩行用杖として、従来のゴムチップに、雪道や凍結した道路に対する滑り止め機能を有する爪等を設けたもの（例えば、特許文献１参照。）が提案されている。この爪を有するゴムキャップを杖本体の先端に装着することにより、寒冷地において冬季間、凍結路面となっても、その路面に接触する杖本体の下端が滑ることをその爪により防止するようになっている。
【０００３】
しかし、爪を有するゴムキャップを杖本体の下端に装着した歩行用杖にあっては、建物に出入りする度にそのキャップを取り換えなければならず、非常に面倒であった。また、この取り換えができない場合は、爪を有するゴムキャップを杖本体の下端に装着した歩行用杖と、爪からなる滑り止めが付いていない普通の歩行用杖の２本を用意して、その場所において、適宜切換て使用しなければならないのが現状であった。
この点を解消するために、滑り止め部材を杖本体の下部内部に収容し、杖本体の上端における把持部材の近傍においてその滑り止め部材を出入りさせようという歩行用杖（例えば、特許文献２参照。）が提案されている。このような歩行用杖であれば、滑り止めである爪が設けられたキャップを取り外す必要が無くなり、切換操作も比較的容易になるとされている。
【特許文献１】特開２０００−３００３１７号公報（明細書［００１１］〜［００１５］、図１）
【特許文献２】特開２００３−３１９８１０号公報（明細書［０００７］、図１）
【考案の開示】
【考案が解決しようとする課題】
【０００４】
しかし、滑り止め部材を杖本体の内部に収容することは、杖本体が中空なものであることが要件とされ、金属製のパイプからなるようなものであればよいけれども、例えば、杖本体が木質系のものである場合にはその中空可能が困難になり、杖本体の材料選択の幅が狭められる不具合があった。また、杖本体の下端内部に収容した滑り止め部材を、杖本体の上部における手元の操作で出入れさせようとすると、その構造が比較的に複雑になることからパイプを加工するなどコストもかさみ、その単価が押し上げられる不具合もあった。
本考案の目的は、杖本体の材料選択の幅を狭めることなく、滑り止め部材を突出及び格納し得る比較的構造が簡単な歩行用杖を提供することにある。
【課題を解決するための手段】
【０００５】
請求項１に係る考案は、図８に示すように、上端が把持可能に構成された杖本体１１と、杖本体１１の下端部分に設けられた滑り止め部材２１とを備えた歩行用杖の改良である。
その特徴ある構成は、図１に詳しく示すように、滑り止め部材２１は、杖本体１１の下端に設けられたキャップ部材１７の下端縁に位置する突出位置と、キャップ部材１７の側面に位置する格納位置の間を回転可能に設けられたところにある。
【０００６】
この請求項１に記載された歩行用杖では、滑り止め部材２１を突出位置と格納位置の間を回転可能に設けるので、杖本体１１が中空であることを必要としない。このため、杖本体１１の材料選択の幅が狭められることはなく、本来的に中空加工が困難な木質系材料を用いて杖本体１１を形成しても良い。また、滑り止め部材２１を突出位置にすれば、寒冷地において冬季間、凍結路面となっても、その路面に接触する杖本体１１の下端が滑ることを防止することができる。一方、滑り止め部材２１を格納位置にすれば、例えば病院や屋内で使用することが可能になる。
【０００７】
請求項２に係る考案は、請求項１に係る考案であって、杖本体１１の下端がキャップ部材１７により被覆され、キャップ部材１７にバンド部材１８が巻回され、バンド部材１８に滑り止め部材２１が枢支されたことを特徴とする。
この請求項２に記載された歩行用杖では、杖本体１１の下端を被覆するキャップ部材１７を介して杖本体１１の下端部分に滑り止め部材２１を設けるので、杖本体１１の下端に滑り止め部材２１が枢支されたキャップ部材１７を被覆するだけの単純な作業で本考案の歩行用杖１０を得ることができ、滑り止め部材２１を枢支するために必要な杖本体１１の加工を不要にしてその単価が押し上げられることを回避することができる。
【０００８】
請求項３に係る考案は、請求項２に係る考案であって、滑り止め部材２１は、突出位置で、中間がキャップ部材１７の先端縁に対向し一端及び他端がキャップ部材１７を両側から挟むように折り曲げられて一端がバンド部材１８に枢支された帯板基台２２と、帯板基台２２に取付けられた歯先部材２３とを備えることを特徴とする。
この請求項３に記載された歩行用杖では、滑り止め部材２１の構造を単純化することができ、その単価が押し上げられることを防止することができる。
【０００９】
請求項４に係る考案は、請求項３に係る考案であって、バンド部材１８の帯板基台２２の他端に対向する部分に第１突起１８ａが帯板基台２２の他端に向かって突出して形成され、帯板基台２２の他端に第１突起１８ａが進入可能な係止孔２２ａが形成され、第１突起１８ａを係止孔２２ａに進入させることにより滑り止め部材２１を突出位置に維持させるよう構成されたことを特徴とする。
この請求項４に記載された歩行用杖では、滑り止め部材２１を突出位置に維持させることが可能になり、寒冷地において冬季間、凍結路面における安定した使用が可能になる。
【００１０】
請求項５に係る考案は、請求項３又は４に係る考案であって、キャップ部材１７に巻回されたバンド部材１８の両端に枢支ピン１９が架設され、枢支ピン１９を介して帯板基台２２の一端が枢支され、枢支ピン１９近傍のバンド部材の両側に第２突起１８ｂが帯板基台２２側に突出してそれぞれ形成され、バンド部材１８の両側にそれぞれ形成された第２突起１８ｂは滑り止め部材２１が格納位置の帯板基台２２に接触して滑り止め部材２１を格納位置に維持させるように構成されたことを特徴とする。
この請求項５に記載された歩行用杖では、滑り止め部材２１を格納位置に維持させることが可能になり、例えば病院や屋内における安定した使用が可能になる。
【００１１】
請求項６に係る考案は、請求項３ないし５いずれか１項に係る考案であって、歯先部材２３は、鋼板をコ字状に折り曲げて、帯板基台２２に固定された固定部２３ａと、固定部２３ａの両側から立ち上げられてそれぞれの先端に複数の山形の歯２３ｃが連なる歯先が形成された一対の鋸歯用板材２３ｂ，２３ｂを備えたことを特徴とする。
この請求項６に記載された歩行用杖では、寒冷地において冬季間、凍結路面に複数の山形の歯２３ｃが突き刺さるようなるので、その寒冷地の冬季における安定した使用が可能になる。
【００１２】
請求項７に係る考案は、請求項６に係る考案であって、滑り止め部材２１が格納状態で一対の鋸歯用板材２３ｂ，２３ｂを収容可能な凹部１７ｅがキャップ部材１７に形成されたことを特徴とする。
この請求項７に記載された歩行用杖では、格納状態で一対の鋸歯用板材２３ｂ，２３ｂを凹部１７ｅに収容することができ、一対の鋸歯用板材２３ｂ，２３ｂの歯先における複数の山形の歯２３ｃが外部に出現することを防止することができる。
【００１３】
請求項８に係る考案は、請求項６又は７に係る考案であって、鋸歯用板材２３ｂ，２３ｂの歯先は、中央の山形の歯２３ｃが最も突出するように複数の山形の歯２３ｃが円弧Ｒを描くように連なって形成されたことを特徴とする。
この請求項８に記載された歩行用杖では、複数の山形の歯２３ｃが円弧Ｒを描くように連なって形成したので、杖本体１１が傾斜したとしても、路面に接触する複数の山形の歯２３ｃにおける円弧Ｒに沿って杖本体１１が傾斜し、複数の山形の歯２３ｃを順次路面に突き刺して、その下端が滑るような事態を有効に回避することができる。
【考案の効果】
【００１４】
本考案の歩行用杖では、滑り止め部材を、杖本体の下端に設けられたキャップ部材の下端縁に位置する突出位置とそのキャップ部材の側面に位置する格納位置の間を回転可能に設けたので、杖本体が中空であることを必要としない。このため、杖本体の材料選択の幅が狭められることはない。また、滑り止め部材を突出位置にすれば、寒冷地において冬季間、凍結路面となっても、その路面に接触する杖本体の下端が滑ることを防止することができ、滑り止め部材を格納位置にすれば、例えば病院や屋内で使用することが可能になる。そして、杖本体の下端をキャップ部材により被覆し、キャップ部材にバンド部材を巻回し、このバンド部材に滑り止め部材を枢支するので、杖本体の下端にキャップ部材を被覆するだけの単純な作業で本考案の歩行用杖を得ることができる。
【００１５】
また、滑り止め部材が、突出位置で、中間がキャップ部材の先端縁に対向し一端及び他端がキャップ部材を両側から挟むように折り曲げられて一端がバンド部材に枢支された帯板基台と、帯板基台に取付けられた歯先部材とを備えれば、滑り止め部材の構造を単純化することができ、その単価が押し上げられることを防止することができる。この場合、バンド部材の帯板基台の他端に対向する部分に第１突起を形成し、帯板基台の他端に第１突起が進入可能な係止孔を形成し、第１突起を係止孔に進入させることにより滑り止め部材を突出位置に維持させるよう構成すれば、滑り止め部材を突出位置に維持させることが可能になり、寒冷地において冬季間、凍結路面における安定した使用が可能になる。
【００１６】
また、キャップ部材に巻回されたバンド部材の両端に枢支ピンを架設し、枢支ピンを介して帯板基台の一端を枢支し、枢支ピン近傍のバンド部材の両側に第２突起を突出してそれぞれ形成し、第２突起は滑り止め部材が格納位置の帯板基台に接触して滑り止め部材を格納位置に維持させるように構成すれば、滑り止め部材を格納位置に維持させることが可能になり、例えば病院や屋内における安定した使用が可能になる。
【００１７】
また、歯先部材は、鋼板をコ字状に折り曲げて、帯板基台に固定された固定部と、固定部の両側から立ち上げられてそれぞれの先端に複数の山形の歯が連なる歯先が形成された一対の鋸歯用板材を備えれば、寒冷地において冬季間、凍結路面に複数の山形の歯が突き刺さるようなるので、その寒冷地の冬季における安定した使用が可能になる。そして、滑り止め部材が格納状態で一対の鋸歯用板材を収容可能な凹部をキャップ部材に形成すれば、格納状態で一対の鋸歯用板材を凹部に収容することができ、一対の鋸歯用板材の歯先における複数の山形の歯が外部に出現することを防止することができる。
更に、鋸歯用板材の歯先は、中央の山形の歯が最も突出するように複数の山形の歯が円弧を描くように連なって形成すれば、杖本体が傾斜したとしても、路面に接触する複数の山形の歯における円弧に沿って杖本体が傾斜し、複数の山形の歯を順次路面に突き刺して、その下端が滑るような事態を有効に回避することができる。
【考案を実施するための最良の形態】
【００１８】
次に本考案を実施するための最良の形態を図面に基づいて説明する。
図８に示すように、本考案の歩行用杖１０は、上端が把持可能に構成された杖本体１１と、その杖本体１１の下端部分に設けられた滑り止め部材２１とを備える。この実施の形態における杖本体１１は、外筒部材１２と、その外筒部材１２に上側から挿入された内筒部材１３と、その内筒部材１３の上端に取付けられた把持部材１４とを備える。把持部材１４はこの歩行用杖１０を使用するものが把持可能に構成され、内筒部材１３の上端にそれと直交する方向に固定される。外筒部材１２と内筒部材１３は内径が異なる金属製のパイプであって、外筒部材１２と内筒部材１３の間にはその外筒部材１２に上側から挿入された内筒部材１３を所定の位置で固定する固定手段１６が設けられる。この固定手段１６により杖本体１１は、外筒部材１２に上側から挿入された内筒部材１３の固定位置を変更することによりその全長Ｌを可変可能に構成される。
【００１９】
図１、図３及び図５に示すように、杖本体１１の先端はキャップ部材１７により被覆される。このキャップ部材１７は、杖本体１１の先端縁が挿入する有底穴１７ａが形成され、その先端縁には滑り止めのために凹溝が二重の円を描くように同心状に形成される（図７）。このキャップ部材１７の先端側における周囲には、その先端縁における外周Ｄよりも小さい外径ｄの小径部１７ｃが形成され（図３）、このキャップ部材１７の小径部１７ｃにはバンド部材１８が巻回される。そして、このバンド部材１８に滑り止め部材２１が枢支される。
【００２０】
図１に詳しく示すように、滑り止め部材２１は、中間がキャップ部材１７の先端縁に対向し一端及び他端がキャップ部材１７を両側から挟むように折り曲げられて一端がバンド部材１８に枢支された帯板基台２２と、帯板基台２２に取付けられた歯先部材２３とを備える。キャップ部材１７の先端側における周囲には、その対称位置に帯板基台２２の幅Ｗ（図２）に等しい幅Ｈの切り欠き１７ｄ，１７ｄ（図７）が形成され、帯板基台２２の中間部分をキャップ部材１７の先端縁に対向させたときに、その帯板基台２２の一端及び他端はそれぞれの切り欠き１７ｄ、１７ｄに進入してそのキャップ部材１７を両側から挟むように形成される。図４に示すように、キャップ部材１７に巻回されたバンド部材１８の両端には枢支ピン１９が架設され、この枢支ピン１９を介して帯板基台２２の一端が枢支される。一方、帯板基台２２の他端の先端は巻回されて取手２２ｂが形成される。このようにして滑り止め部材２１は杖本体１１の下端部分を構成する外筒部材１２の下端に設けられる。そして、この滑り止め部材２１は枢支ピン１９を回転中心として約２７０度回転して、図１に示すように、杖本体１１の下端縁に位置する突出位置と、図１の一点鎖線で示す中間位置を介して、図５に示すように、杖本体１１の側面に位置する格納位置の間を回転可能に設けられる。
【００２１】
図１及び図３に示すように、滑り止め部材２１が突出位置で、バンド部材１８の帯板基台２２の他端に対向する部分には、第１突起１８ａがその帯板基台２２の他端に向かって突出して形成される。また、その帯板基台２２の他端には、第１突起１８ａが進入可能な係止孔２２ａが形成される。そして、第１突起１８ａを係止孔２２ａに進入させることにより滑り止め部材２１は、図１に示す突出位置に維持されるよう構成される。一方、図５に示すように、枢支ピン１９近傍のバンド部材１８の両側には第２突起１８ｂが互いに向かい合って、帯板基台２２側に突出してそれぞれ形成される。バンド部材１８の両側にそれぞれ形成された第２突起１８ｂは、滑り止め部材２１が図５に示す格納位置の帯板基台２２に接触して滑り止め部材２１を格納位置に維持させるように構成される。
【００２２】
図１〜図３に示すように、帯板基台２２に取付けられる歯先部材２３は、鋼板をコ字状に折り曲げることにより作られ、帯板基台２２に２つのリベット２４，２４を介して固定された固定部２３ａと、その固定部２３ａの両側から立ち上げられてそれぞれの先端に複数の山形の歯２３ｃが連なる歯先が形成された一対の鋸歯用板材２３ｂ，２３ｂを備える。図１に示すように、この鋸歯用板材２３ｂ，２３ｂの歯先は、中央の山形の歯２３ｃが最も突出するように複数の山形の歯２３ｃが円弧Ｒを描くように連なって形成される。そして、連なって形成された複数の山形の歯２３ｃの内の両側に位置する歯２３ｃはその先端が鋭利に形成され、その両端の歯２３ｃに挟まれる他の歯２３ｃの先端は安全上僅かに平らな部分を有するように形成される。一方、図５及び図６に示すように、キャップ部材１７には、滑り止め部材２１が格納状態で一対の鋸歯用板材２３ｂ，２３ｂを収容可能な凹部１７ｅが形成される。
【００２３】
このように構成された歩行用杖１０では、寒冷地において、特に雪道や凍結した道路等において用いる場合には、滑り止め部材２１を杖本体１１の下端縁に位置する突出位置にして用いる。滑り止め部材２１を突出位置にすると、滑り止め部材２１のバンド部材１８に形成された第１突起１８ａが、帯板基台２２の他端における係止孔２２ａに進入し、これにより滑り止め部材２１は突出位置に維持される。そして、この滑り止め部材２１における歯先部材２３が路面に接触する杖本体１１の下端が滑ることを防止し、この歩行用杖１０を用いる歩行者の安全を図ることができる。
【００２４】
特にこの実施の形態における歯先部材２３は、鋼板をコ字状に折り曲げて、複数の山形の歯２３ｃが連なる歯先が形成された一対の鋸歯用板材２３ｂ，２３ｂを備えたので、寒冷地において冬季間、凍結路面に複数の山形の歯２３ｃが突き刺さるようなるので、その寒冷地の冬季における安定した使用が可能になる。そして、中央の山形の歯２３ｃが最も突出するように複数の山形の歯２３ｃを円弧Ｒを描くように連なって形成したの、杖本体１１が傾斜したとしても、路面に接触する複数の山形の歯２３ｃにおける円弧Ｒに沿って杖本体１１が傾斜し、複数の山形の歯２３ｃが順次路面に突き刺されるので、その下端が滑るような事態を有効に回避することができる。そして、複数の山形の歯２３ｃの内の両側に位置する歯２３ｃはその先端が鋭利に形成されているので、杖本体１１が著しく傾斜したとしても、両側に位置する山形の歯２３ｃを路面に確実に突き刺すことができるので、その安全性を向上させることができる。
【００２５】
一方、この歩行用杖１０を使用するものが、建物に出入りする際には、その滑り止め部材２１を突出位置から格納位置に切換える。この切換は、帯板基台２２の他端に形成された取手２２ｂを持って、枢支ピン１９を回転中心としてその帯板基台２２を図１の一点鎖線で示す中間位置を介して、図５に示す格納位置にまで回転させる。滑り止め部材２１が格納位置に至ると、枢支ピン１９近傍のバンド部材の両側に形成された第２突起１８ｂが帯板基台２２に接触して滑り止め部材２１を格納位置に維持され、例えば病院や屋内における安定した使用が可能になる。そして、滑り止め部材２１が格納状態では、一対の鋸歯用板材２３ｂ，２３ｂはキャップ部材１７に形成された凹部１７ｅに収容されるので、一対の鋸歯用板材２３ｂ，２３ｂの歯先における複数の山形の歯２３ｃが外部に出現することを防止することができる。
【００２６】
そして、このように構成された歩行用杖では、滑り止め部材２１を突出位置と格納位置の間を回転可能に設けるので、杖本体１１が中空であることを必要としない。このため、杖本体１１の材料選択の幅が狭められることはなく、本来的に中空加工が困難な木質系材料を用いて杖本体１１を形成することも可能になる。また、杖本体１１の下端を被覆するキャップ部材１７を介して杖本体１１の下端部分に滑り止め部材２１を設けるので、杖本体１１の下端に滑り止め部材２１が枢支されたキャップ部材１７を被覆するだけの単純な作業で本考案の歩行用杖１０を得ることができる。このため、滑り止め部材２１を枢支するために必要な杖本体１１の加工も不要になり、この歩行用杖１０の単価が押し上げられることを回避することができる。
【図面の簡単な説明】
【００２７】
【図１】本考案実施形態の歩行用杖の下端部分における拡大側面図である。
【図２】その底面図である。
【図３】その正面図である。
【図４】図１のＡ−Ａ線断面図である。
【図５】その滑り止め部材が格納位置である場合を示す図１に対応する側面図である。
【図６】図５のＢ−Ｂ線断面図である。
【図７】キャップ部材の底面図である。
【図８】その歩行用杖の全体の側面図である。
【符号の説明】
【００２８】
１０  歩行用杖
１１  杖本体
１７  キャップ部材
１７ｅ  凹部
１８  バンド部材
１８ａ  第１突起
１８ｂ  第２突起
１９  枢支ピン
２１  滑り止め部材
２２  帯板基台
２２ａ  係止孔
２３  歯先部材
２３ａ  固定部
２３ｂ  鋸歯用板材
２３ｃ  山形の歯
Ｒ  円弧
【図１】
0003126872.tif 000003
【図２】
0003126872.tif 000004
【図３】
0003126872.tif 000005
【図４】
0003126872.tif 000006
【図５】
0003126872.tif 000007
【図６】
0003126872.tif 000008
【図７】
0003126872.tif 000009
【図８】
0003126872.tif 000010